(57)【要約】【課題】押し釦スイッチの操作性を向上させることが可能になる、発信機を提供すること。【解決手段】発信機５０は、ユーザによる火災信号の送信指示を受け付ける押し釦スイッチ９５と、押し釦スイッチ９５を保護する保護板７０と、押し釦スイッチ９５と保護板７０との相互間に配置され、押し釦スイッチ９５の押圧面と対向する対向面９７であって押圧面よりも面積が大きく形成された対向面９７を有する防水キャップ９６と、防水キャップ９６と保護板７０との相互間に設けられた押圧領域限定部７１であって、押し釦スイッチ９５が操作される際に、ユーザによって保護板７０を介して当該押圧領域限定部７１が押圧されることにより、対向面９７における一部の領域であって、当該対向面９７における押圧面との対向部分の少なくとも一部を含む領域を限定して押圧することを可能とする押圧領域限定部７１とを備えている。【選択図】図４
2015169994.tif 000002
【特許請求の範囲】
【請求項１】
火災を報知する火災信号を送信する発信機であって、
ユーザによる前記火災信号の送信指示を受け付ける押し釦スイッチと、
前記押し釦スイッチを保護する保護板と、
前記押し釦スイッチと前記保護板との相互間に配置され、前記押し釦スイッチの押圧面と対向する対向面であって前記押圧面よりも面積が大きく形成された対向面を有する可撓性部材と、
前記可撓性部材と前記保護板との相互間に設けられた押圧領域限定手段であって、前記押し釦スイッチが操作される際に、ユーザによって前記保護板を介して当該押圧領域限定手段が押圧されることにより、前記対向面における一部の領域であって、当該対向面における前記押圧面との対向部分の少なくとも一部を含む領域を限定して押圧することを可能とする押圧領域限定手段と、
を備えた発信機。
【請求項２】
前記押し釦スイッチが操作される際に、前記保護板を前記押し釦スイッチの押圧方向に略沿って平行移動させるためのガイド手段を、前記保護板に設けた、
請求項１に記載の発信機。
【請求項３】
前記押し釦スイッチを収容する収容体を備え、
前記収容体の側部に、前記押し釦スイッチを取り付け、
前記ガイド手段を、前記保護板から前記収容体の前記側部に向けて突出するように形成し、
前記収容体の前記側部と前記ガイド手段との相互間に、前記押し釦スイッチが押しきられた状態においてのみ当該側部に当該ガイド手段が接触可能となる隙間を設けた、
請求項１又は２に記載の発信機。
【請求項４】
前記押し釦スイッチを収容する収容体であって、相互に対向する一対の側部を有する収容体を備え、
前記収容体の一対の側部のうち、一方の側部には、前記押し釦スイッチを取り付け、
前記収容体の一対の側部のうち、他方の側部には、開口部を形成すると共に、当該開口部を介して前記保護板を前記押し釦スイッチに向けて押圧可能となるように前記保護板を取り付け、
前記ガイド手段を、前記保護板から前記収容体の前記一方の側部に向けて突出するように形成し、
前記保護板が前記収容体の前記他方の側部における取り付け位置よりも前記収容体の内側の位置に移動された状態において、当該保護板を前記開口部から取り出すことを補助するための切欠部を、前記ガイド手段に少なくとも１つ以上形成した、
請求項２に記載の発信機。
【発明の詳細な説明】
【技術分野】
【０００１】
本発明は、発信機に関する。
【背景技術】
【０００２】
従来から、火災報知等に使用するための発信機が普及している。例えば、この発信機は、消火栓装置の通報装置扉に収容された発信機であって、通報装置扉に形成された取付穴の背後に配置された押し釦スイッチと、取付穴を介して通報装置扉に取り付けられた円環状の枠部材に保持された保護板と、押し釦スイッチと保護板との相互間に設けられた防水キャップであって、押し釦スイッチを覆うための防水キャップとを備えている。この押し釦スイッチの操作については、ユーザによって保護板が枠部材から取り外された後、ユーザによって保護板が介して防水キャップが押圧されることにより、当該押し釦スイッチが防水キャップによって押し込まれる。そして、この押し釦スイッチが所定位置まで押し込まれた場合には、押し釦スイッチの操作が実行される。なお、この保護板の外縁形状については、ユーザが保護板を押圧しやすくなるように、ユーザの指の形状よりも大きく設定されている（例えば、特許文献１参照）。
【先行技術文献】
【特許文献】
【０００３】
【特許文献１】特開２０１１−６０５８０号公報
【発明の概要】
【発明が解決しようとする課題】
【０００４】
ここで、上記従来の発信機においては、上述したように、この保護板の外縁形状については、ユーザが保護板を押圧しやすい形状に設定されていたために、防水キャップの外縁形状よりも大きな形状になっていた。このため、ユーザによって保護板を介して防水キャップが押圧されると、防水キャップにおける保護板側の側部全体が押圧されていた。これにより、防水キャップにおける保護板側の側部が変形するだけでなく、この保護板側の側部以外の他の側部も変形することから、防水キャップにおける保護板側の側部だけが変形する場合に比べて、保護板における防水キャップから受ける反力が大きくなっていた。よって、このような反力が働くことにより、押し釦スイッチが操作しづらくなるという問題が生じていた。
【０００５】
本発明は、上記に鑑みてなされたものであって、押し釦スイッチの操作性を向上させることが可能になる、発信機を提供することを目的とする。
【課題を解決するための手段】
【０００６】
上述した課題を解決し、目的を達成するために、請求項１に記載の発信機は、火災を報知する火災信号を送信する発信機であって、ユーザによる前記火災信号の送信指示を受け付ける押し釦スイッチと、前記押し釦スイッチを保護する保護板と、前記押し釦スイッチと前記保護板との相互間に配置され、前記押し釦スイッチの押圧面と対向する対向面であって前記押圧面よりも面積が大きく形成された対向面を有する可撓性部材と、前記可撓性部材と前記保護板との相互間に設けられた押圧領域限定手段であって、前記押し釦スイッチが操作される際に、ユーザによって前記保護板を介して当該押圧領域限定手段が押圧されることにより、前記対向面における一部の領域であって、当該対向面における前記押圧面との対向部分の少なくとも一部を含む領域を限定して押圧することを可能とする押圧領域限定手段と、を備えている。
【０００７】
請求項２に記載の発信機は、請求項１に記載の発信機において、前記押し釦スイッチが操作される際に、前記保護板を前記押し釦スイッチの押圧方向に略沿って平行移動させるためのガイド手段を、前記保護板に設けている。
【０００８】
請求項３に記載の発信機は、請求項１又は２に記載の発信機において、前記押し釦スイッチを収容する収容体を備え、前記収容体の側部に、前記押し釦スイッチを取り付け、前記ガイド手段を、前記保護板から前記収容体の前記側部に向けて突出するように形成し、前記収容体の前記側部と前記ガイド手段との相互間に、前記押し釦スイッチが押しきられた状態においてのみ当該側部に当該ガイド手段が接触可能となる隙間を設けている。
【０００９】
請求項４に記載の発信機は、請求項２に記載の発信機において、前記押し釦スイッチを収容する収容体であって、相互に対向する一対の側部を有する収容体を備え、前記収容体の一対の側部のうち、一方の側部には、前記押し釦スイッチを取り付け、前記収容体の一対の側部のうち、他方の側部には、開口部を形成すると共に、当該開口部を介して前記保護板を前記押し釦スイッチに向けて押圧可能となるように前記保護板を取り付け、前記ガイド手段を、前記保護板から前記収容体の前記一方の側部に向けて突出するように形成し、前記保護板が前記収容体の前記他方の側部における取り付け位置よりも前記収容体の内側の位置に移動された状態において、当該保護板を前記開口部から取り出すことを補助するための切欠部を、前記ガイド手段に少なくとも１つ以上形成している。
【発明の効果】
【００１０】
請求項１に記載の発信機によれば、押し釦スイッチが操作される際に、ユーザによって保護板を介して当該押圧領域限定手段が押圧されることにより、可撓性部材の対向面における一部の領域であって、当該対向面における押圧面との対向部分の少なくとも一部を含む領域を限定して押圧することを可能とする押圧領域限定手段を備えているので、押圧領域限定手段によって、可撓性部材の上記領域を限定して押圧することができるため、可撓性部材における押し釦スイッチが押圧される際に必要となる領域のみを変形させることが可能となる。よって、保護板のみで押し釦スイッチが押圧される場合に比べて、保護板における可撓性部材から受ける反力を小さくすることができることから、押し釦スイッチの操作性を向上させることが可能となる。
【００１１】
請求項２に記載の発信機によれば、押し釦スイッチが操作される際に、保護板を押し釦スイッチの押圧方向に略沿って平行移動させるためのガイド手段を、保護板に設けたので、保護板にガイド手段が設けられていない場合に比べて、保護板を押し釦スイッチに向けて正確に移動させることができる。このため、保護板に押圧領域限定手段が設けられている場合でも、押し釦スイッチを確実に押圧することが可能となる。
【００１２】
請求項３に記載の発信機によれば、収容体の側部とガイド手段との相互間に、押し釦スイッチが押しきられた状態においてのみ当該側部に当該ガイド手段が接触可能となる隙間を設けたので、ユーザが押し釦スイッチを押切ったことを確認できるため、押し釦スイッチの操作性を一層向上させることが可能となる。また、押し釦スイッチに過度な力が働かないため、押し釦スイッチの破損を防止することが可能となる。
【００１３】
請求項４に記載の発信機によれば、保護板が収容体の他方の側部における取り付け位置よりも収容体の内側の位置に移動された状態において、当該保護板を開口部から取り出すことを補助するための切欠部を、ガイド手段に少なくとも１つ以上形成したので、例えば、保護板が上記取り付け位置よりも収容体の内側に入りこんだ場合に、保護板が傾けられた場合でも、ガイド手段に切欠部が形成されていない場合に比べて、ガイド手段と収容体に収容された他の部材（例えば、防水キャップや押し釦スイッチ等）とが接触することを回避できる。よって、保護板及びガイド手段と収容体との相互間において、ユーザの指を保護板又はガイド手段に引掛けることが可能なスペースを確保しやすくなるため、ユーザが保護板を収容体の内部から容易に取り出すことが可能となる。
【図面の簡単な説明】
【００１４】
【図１】本実施の形態に係る消防用設備装置の構成を示す斜視図である。
【図２】図１における領域Ａの拡大斜視図である。
【図３】図２の分解斜視図である。
【図４】図２のＢ−Ｂ矢視断面図である。
【図５】保護板枠を示す図であり、（ａ）は正面図、（ｂ）は（ａ）のＣ−Ｃ矢視断面図、（ｃ）は（ａ）のＤ−Ｄ矢視断面図である。
【図６】保護板を示す図であり、（ａ）は正面図、（ｂ）は平面図、（ｃ）は右側面図、（ｄ）は底面図である。
【図７】図４に示す押し釦スイッチが押しきられた状態を示す断面図である。
【図８】図７に示すガイド部に切欠部が形成されていない場合において、保護板が取り出されている状態を示す断面図である。
【図９】図７に示すガイド部に切欠部が形成されている場合において、保護板が取り出されている状態を示す断面図である。
【発明を実施するための形態】
【００１５】
以下、本発明に係る発信機の実施の形態について図面を参照しつつ詳細に説明する。ただし、実施の形態によって本発明が限定されるものではない。
【００１６】
〔I〕実施の形態の基本的概念
まずは、実施の形態の基本的概念について説明する。実施の形態は、概略的に、発信機に関するものである。この「発信機」は、火災を報知する火災信号を送信する機器である。なお、実施の形態に係る発信機の設置対象や適用対象は任意であるが、以下では、トンネル内に設置された消防用設備装置に組み込まれた発信機に適用した場合を例として説明を行う。
【００１７】
〔II〕実施の形態の具体的内容
次に、実施の形態の具体的内容について説明する。
【００１８】
（構成）
最初に、本実施の形態に係る消防用設備装置の構成について説明する。図１は、本実施の形態に係る消防用設備装置の構成を示す斜視図である。なお、以下の説明では、図１の−Ｘ方向を消防用設備装置の左方向、図１の＋Ｘ方向を消防用設備装置の右方向、図１の＋Ｙ方向を消防用設備装置の前方向、図１の−Ｙ方向を消防用設備装置の後方向、図１の＋Ｚ方向を消防用設備装置の上方向、図１の−Ｚ方向を消防用設備装置の下方向とする。消防用設備装置１は、消防活動に必要な設備を備える装置である。この消防用設備装置１は、トンネルの進行方向に略沿って所定間隔毎に（例えば、５０ｍ間隔毎等）に配置されており、トンネルの壁面に対して架台等を介して固定されている。また、図１に示すように、この消防用設備装置１は、筐体１０に、消火器（図示省略）と、赤色表示灯２０と、応答ランプ３０と、発信機５０とを備えている。
【００１９】
（構成−筐体）
筐体１０は、消防用設備装置１の基本構造体であり、消火器、赤色表示灯２０と、応答ランプ３０と、発信機５０とを外部から保護する保護手段である。この筐体１０は、例えば金属材料等にて形成された略箱状体である。また、この筐体１０は、一側面（例えば、前面等）を開放した略箱形状のベース部１１であって、消火器と、赤色表示灯２０と、応答ランプ３０と、発信機５０とを収容するベース部１１と、このベース部１１をその開放面側から略覆う正面パネル１２とを備えて構成されており、正面パネル１２はベース部１１に対して嵌合構造や固定具等にて固定されている。
【００２０】
ここで、ベース部１１には、消火器を固定するための固定部（図示省略）と、赤色表示灯２０、応答ランプ３０、又は発信機５０に接続された電力線（図示省略）や信号線（図示省略）を筐体１０の外部に引き出すための引出口（図示省略）とが設けられている。また、正面パネル１２には、第１の導光孔１２ａ、第２の導光孔１２ｂ、及び操作口１２ｃが設けられている。第１の導光孔１２ａは、赤色表示灯２０の光を外部に向けて導光するための貫通孔である。第２の導光孔１２ｂは、応答ランプ３０の光を外部に向けて導光するための貫通孔である。操作口１２ｃは、後述する発信機５０の保護板７０を操作口１２ｃを介して後述する発信機５０の取付部材９２に出し入れするための開口部である。
【００２１】
（構成−消火器、赤色表示灯、及び応答ランプ）
消火器は、消火剤等を放射して火災を消すための機器である。赤色表示灯２０は、消防用設備装置１の設置位置を案内するための表示灯であり、具体的には、常時点灯されることにより、消防用設備装置１の設置位置を案内する。応答ランプ３０は、消防用設備装置１の外部に設置された火災受信機（図示省略）が発信機５０から火災信号を受信した旨を表示するためのランプであり、具体的には、発信機５０から火災信号を受信した火災受信機にて火災警報が出力されるに伴って応答信号が送信された場合に、当該送信された応答信号を受信して点灯する。
【００２２】
（構成−発信機）
図２は、図１における領域Ａの拡大斜視図である。図３は、図２の分解斜視図である。図４は、図２のＢ−Ｂ矢視断面図である。図５は、保護板枠６０を示す図であり、（ａ）は正面図、（ｂ）は（ａ）のＣ−Ｃ矢視断面図、（ｃ）は（ａ）のＤ−Ｄ矢視断面図である。なお、図４では、後述する発信機本体８０のうち後述するガイド部７２に覆われている部分を点線で示している（後述する図７から後述する図９についても同様とする）。発信機５０は、火災信号を送信する機器であり、具体的には、ユーザによって所定操作が行われた場合に、火災信号を火災受信機に向けて送信する。また、図２から図４に示すように、発信機５０は、保護板枠６０と、保護板７０と、発信機本体８０とを備えている。
【００２３】
（構成−発信機−保護板枠）
保護板枠６０は、保護板７０を筐体１０の正面パネル１２に接続するための接続手段である。図２から図５に示すように、この保護板枠６０は、例えば熱可塑性の樹脂材料にて形成された略円環状体であり、筐体１０における正面パネル１２の操作口１２ｃに対向する位置に配置されている（具体的には、筐体１０における正面パネル１２の操作口１２ｃよりも前方側に配置されている）。また、この保護板枠６０の後側部には、接続部６１と、ストッパ部６２とがそれぞれ複数設けられている。
【００２４】
接続部６１は、保護板枠６０を筐体１０の正面パネル１２に取り付けるための取付手段である。これら接続部６１は、当該接続部６１の先端部が略フック状に形成された板状体であり、発信機本体８０における後述する接続板９８に形成された係止孔９８ａにそれぞれ挿入可能となるように、保護板枠６０の後側部に突設して配置されており、当該接続板９８を介して正面パネル１２に対して係脱可能に接続されている。
【００２５】
ストッパ部６２は、保護板７０を保護板枠６０に取り付けるための取付手段である。これらストッパ部６２は、略板状体にて形成されており、保護板枠６０における後側部の内縁部分近傍において、所定間隔を隔てて当該後側部に突設して配置されている。ここで、ストッパ部６２による保護板７０の取付方法については任意であるが、例えば、保護板７０をストッパ部６２における当該保護板７０との先端部に形成された係止爪に係合させることにより取り付ける方法等が採用されている。なお、このストッパ部６２の係止爪の形状については、具体的には、ユーザによって所定値以上の力で保護板７０が押圧された場合に、保護板７０が保護板枠６０から外れることが可能な形状に設定されている。
【００２６】
（構成−発信機−保護板）
保護板７０は、後述する発信機本体８０の押し釦スイッチ９５を保護する保護手段である。図２から図４に示すように、保護板７０は、例えば透明な熱可塑性の樹脂材料にて形成された略円形状の板状体あり、筐体１０から外部に露出されるように配置されており、保護板枠６０のストッパ部６２によって保護板枠６０に取り付けられている。
【００２７】
ここで、保護板７０及び保護板枠６０の具体的な構成については任意であるが、保護板７０が保護板枠６０に対して正確な位置に取り付けられるように、保護板７０及び保護板枠６０が構成されてもよい。具体的には、保護板７０の上端部に、上方向に沿って凸状となる位置決め部７４が設けられると共に、保護板枠６０における当該位置決め部７４と対向する部分に、スリット状の位置決め部６３が設けられてもよい。なお、この保護板７０の構成の詳細については、後述する。
【００２８】
（構成−発信機−発信機本体）
発信機本体８０は、取付部材９２と、メカニカル接点カバー９１と、防水カバー９３と、メカニカル接点（図示省略）とを備えている。
【００２９】
（構成−発信機−発信機本体−メカニカル接点カバー）
メカニカル接点カバー９１は、メカニカル接点を収容する収容手段である。このメカニカル接点カバー９１は、一側面（例えば、前面等）を開放した略箱状体であり、例えば樹脂材料にて形成されている。また、このメカニカル接点カバー９１の後側部には、引出口（図示省略）が形成されている。引出口は、メカニカル接点に接続されている電力線や信号線をメカニカル接点カバー９１の外部に引き出すための開口である。
【００３０】
（構成−発信機−発信機本体−取付部材）
取付部材９２は、メカニカル接点カバー９１を筐体１０の正面パネル１２に取り付けるための取付手段であると共に、後述する押し釦スイッチ９５を収容する収容手段である。この取付部材９２は、略円筒状体にて形成されており、当該取付部材９２の前側部が筐体１０の正面パネル１２と接触し、且つ、当該取付部材９２の後側部が筐体１０の正面パネル１２と対向する位置に配置され、当該正面パネル１２に対して略円環状に形成された接続板９８を介して固定具等によって固定されている。また、メカニカル接点カバー９１を取付部材９２に取り付ける方法については任意であるが、例えば、メカニカル接点カバー９１における前方部分の外縁部分に対して略円環状のパッキンを複数取り付け、このメカニカル接点カバー９１の前方部分を取付部材９２における後側部の開口を介して取付部材９２に押し込むようにして挿入し、反対側よりねじ止めすることにより、これらパッキンを圧縮して、正面パネル１２側より、メカニカル接点カバー９１の内部に水が流入することを防止する取付方法等が採用されている。なお、取付部材９２、保護板枠６０、及び筐体１０の正面パネル１２のうち取付部材９２における前側部の開口と対向する部分は、特許請求の範囲における「収容体」に対応する。
【００３１】
（構成−発信機−発信機本体−防水カバー）
防水カバー９３は、メカニカル接点カバー９１の内部に水が流入することを防止するために、メカニカル接点カバー９１における取付部材９２に挿入されていない部分を覆う防水手段である。この防水カバー９３は、一側面（例えば、前面等）を開放した略箱状体であり、例えば樹脂材料にて形成されており、メカニカル接点カバー９１における取付部材９２に挿入されていない部分を略覆うように配置されている。また、この防水カバー９３の固定方法については任意であるが、例えば、防水カバー９３の上側部（又は下側部等）を取付部材９２の上側部（又は下側部等）に対して固定具等によって固定する方法等が採用される。また、この防水カバー９３の後側部には、引出口（図示省略）が形成されている。引出口は、メカニカル接点カバー９１から引き出された電力線や信号線を防水カバー９３の外部に引き出すための開口である。
【００３２】
（構成−発信機−発信機本体−メカニカル接点）
メカニカル接点は、発信機５０の各種機能を実現するためのものであり、メカニカル接点カバー９１に対して固定具等にて固定されている。
【００３３】
（構成−発信機−発信機本体−メカニカル接点−押し釦スイッチ）
押し釦スイッチ９５は、ユーザによる火災信号の送信指示を受け付けるスイッチである。この押し釦スイッチ９５は、例えば、自己復帰型のスイッチや位置保持型のスイッチ等の公知の押圧型の釦スイッチを用いて構成されており、メカニカル接点カバー９１における前側部の開口を介してメカニカル接点カバー９１の外部（具体的には、取付部材９２の内部）に露出されるように配置されている。
【００３４】
また、この押し釦スイッチ９５には、防水キャップ９６が設けられている。防水キャップ９６は、押し釦スイッチ９５の内部に水が流入することを防止するために、押し釦スイッチ９５を覆う防水手段であると共に、押し釦スイッチ９５と保護板７０との相互間に配置された可撓性部材である。この防水キャップ９６は、一側面（例えば、後面等）を開放した略箱状体であり、例えば軟質な樹脂材料にて形成されている。また、この防水キャップ９６は、押し釦スイッチ９５及びメカニカル接点カバー９１の前側部の少なくとも一部を略覆うように配置され、メカニカル接点カバー９１に対して固定具等によって固定されている。ここで、この防水キャップ９６における押し釦スイッチ９５の押圧面と対向する対向面９７（具体的には、防水キャップ９６の前側面）の形状については、具体的には、当該対向面９７の面積が押し釦スイッチ９５の押圧面よりも大きな面積となる形状に設定されている。
【００３５】
（保護板の構成の詳細について）
次に、本実施の形態に係る保護板７０の構成等の詳細については、下記に示す工夫が施されている。
【００３６】
図６は、保護板７０を示す図であり、（ａ）は正面図、（ｂ）は平面図、（ｃ）は右側面図、（ｄ）は底面図である。具体的には、図４及び図６に示すように、保護板７０には、押圧領域限定部７１とガイド部７２とが設けられている。ここで、これら保護板７０、押圧領域限定部７１、及びガイド部７２の形成方法は任意であるが、例えば、保護板７０、押圧領域限定部７１、及びガイド部７２を一体成型により形成する方法等が採用されてもよい。
【００３７】
（保護板の構成の詳細について−押圧領域限定部）
押圧領域限定部７１は、押し釦スイッチ９５が操作される際に、ユーザによって保護板７０を介して当該押圧領域限定部７１が押圧されることにより、防水キャップ９６の対向面９７における一部の領域を限定して押圧することが可能な押圧領域限定手段である。この押圧領域限定部７１は、略円筒状体にて形成されており（あるいは、これに限られず、例えば直方体、円柱体等の柱状体にて形成されてもよい）、保護板７０の後側部の中央部分に突設して配置されている。
【００３８】
ここで、押圧領域限定部７１の配置については、具体的には、押圧領域限定部７１の後側部７５の中心位置が、押し釦スイッチ９５の前後方向の中心軸の延長線上に位置し、且つ、押圧領域限定部７１の後側部７５の側面が押し釦スイッチ９５の押圧面と略平行となるように、押圧領域限定部７１が配置されている。
【００３９】
また、押圧領域限定部７１の後側部７５の形状については、具体的には、ユーザによって所定値以上の力で保護板７０が押圧された場合に、押し釦スイッチ９５が押し切られた状態にすることが可能となる形状に設定されている。より、具体的には、図４及び後述する図７に示すように、防水キャップ９６の対向面９７の面積よりも小さい面積となる形状であって、押し釦スイッチ９５の押圧面の面積と略同一の形状（あるいは、押し釦スイッチ９５の押圧面の面積よりも小さい形状）に設定されている。
【００４０】
このような構成により、押し釦スイッチ９５が操作される際に、押圧領域限定部７１によって、防水キャップ９６の対向面９７における押し釦スイッチ９５の押圧面との対向部分を含む領域を限定して押圧することができるため、防水キャップ９６における押し釦スイッチ９５が押圧される際に必要となる領域のみを変形させることが可能となる。よって、保護板７０のみで押し釦スイッチ９５が押圧される場合に比べて、保護板７０における防水キャップ９６から受ける反力を小さくすることができることから、押し釦スイッチ９５の操作性を向上させることが可能となる。
【００４１】
（保護板の構成の詳細について−ガイド部）
ガイド部７２は、押し釦スイッチ９５が操作される際に、保護板７０を押し釦スイッチ９５の押圧方向に略沿って平行移動させるためのガイド手段である。このガイド部７２は、保護板７０から取付部材９２の側部のうち押し釦スイッチ９５が取り付けられている側部（すなわち、取付部材９２の後側部）に向けて突出するように形成されており、具体的には、略円筒状体にて形成され、押圧領域限定部７１を内包するように、保護板７０の後側部に突設して配置されている。
【００４２】
ここで、ガイド部７２の形状については、保護板７０が押圧されてから押し釦スイッチ９５が操作されるまでの間において、ガイド部７２の内縁部分を防水キャップ９６の外縁部分に接触させることにより、保護板７０を押し釦スイッチ９５に向けて正確に移動させることが可能な形状に設定されている。
【００４３】
具体的には、図４及び図６に示すように、ガイド部７２の内径については、ユーザが、ガイド部７２の内縁部分の少なくとも一部（例えば、ガイド部７２の内縁部分の右側部）と防水キャップ９６の外縁部分の少なくとも一部（例えば、防水キャップ９６の外縁部分の右側部）とを継続して接触させながら、保護板７０を移動させている間において、押圧領域限定部７１の後側部７５を防水キャップ９６における押し釦スイッチ９５との対向部分と対向させることが可能となるように、防水キャップ９６の外径よりも大きな形状にて設定されている。また、ガイド部７２の前後方向の長さについては、保護板７０が保護板枠６０に取り付けられた状態において、ガイド部７２が防水キャップ９６の一部を覆うことが可能な長さに設定されている。なお、上述したガイド部７２の形状が設定された場合において、防水キャップ９６の配置については、具体的には、保護板７０を押し釦スイッチ９５の押圧方向に略沿って平行移動させることが可能となるように、防水キャップ９６におけるガイド部７２との接触部分が押し釦スイッチ９５の押圧方向に略沿って平行に配置されている。
【００４４】
このような構成により、保護板７０にガイド部７２が設けられていない場合に比べて、保護板７０を押し釦スイッチ９５に向けて正確に移動させることができるので、押し釦スイッチ９５を確実に押圧することが可能となる。
【００４５】
また、ガイド部７２と取付部材９２との配置関係については、具体的には、図４及び後述する図７に示すように、ガイド部７２の後側部と取付部材９２の保護板側の側部との相互間に、押し釦スイッチ９５が押しきられた状態においてのみガイド部７２と取付部材９２とが接触可能とする隙間が設けられ、この隙間を隔ててガイド部７２及び取付部材９２が配置されている。この隙間の長さについては、具体的には、押圧領域限定部７１の後側部７５と防水キャップ９６の前側部との相互間の長さと、防水キャップ９６の前側部と押し釦スイッチ９５の前側部との相互間の長さと、押し釦スイッチ９５のストロークの長さとを加算した長さに設定されている。
【００４６】
このような配置により、ユーザが押し釦スイッチ９５を操作した際に、ユーザが押し釦スイッチ９５を押切ったことを確認することができるので、押し釦スイッチ９５の操作性を一層向上させることが可能となる。また、押し釦スイッチ９５に過度な力が働かないため、押し釦スイッチ９５の破損を防止することが可能となる。
【００４７】
また、ガイド部７２の具体的な構成については任意であるが、例えば、図４及び図６に示すように、ガイド部７２に切欠部７３ａ、７３ｂが形成されてもよい。切欠部７３ａ、７３ｂは、保護板７０が筐体１０における正面パネル１２の取り付け位置よりも取付部材９２の内側の位置に移動された状態において、当該保護板７０を正面パネル１２の操作口１２ｃから取り出すことを補助するための開口である。また、この切欠部７３ａはガイド部７２の上方に配置され、この切欠部７３ｂはガイド部７２の下方に配置されている。
【００４８】
ここで、切欠部７３ａ、７３ｂの形状については、以下のように設定されている。具体的には、切欠部７３ａ、７３ｂの左右方向の長さについては、保護板７０が操作口１２ｃから取り出される際に、保護板７０が前方（又は後向）に向けて傾けることにより、ガイド部７２と防水キャップ９６とが接触することを回避するために、防水キャップ９６の外径よりも長く設定されている。また、切欠部７３ａの前後方向の長さについては、保護板７０が操作口１２ｃから取り出される際に、ユーザの指が保護板７０又はガイド部７２に引掛りやすくなるように、ガイド部７２の前端部から後端部に至る長さに設定されている。また、切欠部７３ｂの前後方向の長さについては、保護板７０が操作口１２ｃから取り出される際に、保護板７０が前方（又は後向）に向けて角度をつけて傾けられると共に、且つ、ガイド部７２が防水キャップ９６と接触した際に、ガイド部７２の撓みを抑制できるように、ガイド部７２の後端部から前端部の手前側の部分（例えば、ガイド部７２の中央部分等）に至る長さに設定されている。
【００４９】
このような構成により、例えば、ユーザによって押し釦スイッチ９５が操作された後に、保護板７０が保護板枠６０における当該保護板７０の取り付け位置よりも取付部材９２の内側に移動された入りこんだ場合（あるいは、押し釦スイッチ９５が操作されていないものの、保護板７０が取り外されたことにより、当該保護板７０の取り付け位置よりも取付部材９２の内側に移動された入りこんだ場合等）に、保護板７０が傾けられた場合でも、ガイド部７２に切欠部７３ａ、７３ｂが形成されていない場合に比べて、ガイド部７２と防水キャップ９６とが接触することを回避できる。よって、保護板７０及びガイド部７２と取付部材９２との相互間において、ユーザの指を保護板７０又はガイド部７２に引掛けることが可能なスペースを確保しやすくなるため、ユーザが保護板７０を取付部材９２から容易に取り出すことが可能となる。
【００５０】
（発信機の機能について）
このように構成された発信機５０の機能は、以下の通りである。
【００５１】
最初に、押し釦スイッチ９５が操作される際の機能について説明する。図７は、図４に示す押し釦スイッチ９５が押しきられた状態を示す断面図である。ここで、この機能が発揮される場合の初期状態については、具体的には、図４に示すように、保護板７０が保護板枠７０に取り付けられた状態に設定されている。
【００５２】
まず、ユーザは、所定値以上の力で保護板７０を押圧することにより、保護板７０を保護板枠６０から取り外した後、ガイド部７２の内縁部分の右側部と防水キャップ９６の外縁部分の右側部とを接触させた状態（あるいは、ガイド部７２の内縁部分の左側部と防水キャップ９６の外縁部分の左側部とを接触させた状態）で、ガイド部７２の後側部が防水キャップ９６の対向面９７と接触するまで、保護板７０を押し釦スイッチ９５の押圧方向に沿って平行移動させる。
【００５３】
次に、押圧領域限定部７１の後側部７５と防水キャップ９６の対向面９７とが接触されると、ユーザは、押し釦スイッチ９５を押しきられた状態になるまで、所定値以上の力で保護板７０を介して押圧領域限定部７１を押圧する。この場合において、押圧領域限定部７１によって、防水キャップ９６の対向面９７における押し釦スイッチ９５の押圧面との対向部分を含む領域が限定して押圧されるので、防水キャップ９６における押し釦スイッチ９５が押圧される際に必要となる領域のみを変形させることが可能となる。
【００５４】
その後、図７に示すように、取付部材９２の後側部とガイド部７２の後側部とが接触することにより、押し釦スイッチ９５が押しきられた状態になると、メカニカル接点から火災信号を火災受信機に送信する。これにより、火災受信機は、発信機５０から火災信号を受信すると、火災警報を出力すると共に、応答信号を送信する。また、応答ランプ３０は、火災受信機から応答信号を受信すると点灯する。
【００５５】
次に、保護板７０が取付部材９２の内部から取り出される際の機能について説明する。図８は、図７に示すガイド部７２に切欠部７３ａ、７３ｂが形成されていない場合において、保護板７０が取り出されている状態を示す断面図である。図９は、図７に示すガイド部７２に切欠部７３ａ、７３ｂが形成されている場合において、保護板７０が取り出されている状態を示す断面図である。ここで、この機能が発揮される場合の初期状態については、具体的には、図７に示すように、押し釦スイッチ９５が操作された後に、保護板７０が取付部材９２の内部に入りこんでいる状態に設定されている。
【００５６】
まず、ユーザは、保護板７０を防水キャップ９６の近傍位置から筐体１０における正面パネル１２の操作口１２ｃ近傍位置まで移動させる。
【００５７】
次に、ユーザは、保護板７０を操作口１２ｃを介して取り出すために、保護板７０を前方に傾ける。
【００５８】
ここで、保護板７０を操作口１２ｃを介して取り出すためには、保護板７０及びガイド部７２と取付部材９２との相互間において、ユーザの指を保護板７０又はガイド部７２に引掛けること（又は摘まみ出すこと）が可能となるスペースを確保することが重要となる。しかしながら、図８に示すように、ガイド部７２に切欠部７３ａ、７３ｂが形成されていない場合には、保護板７０の傾きが比較的小さい場合であっても、ガイド部７２と防水キャップ９６とが接触してしまうため、上記スペースを確保することが困難となる。特に、図８の保護板７０においては、当該保護板７０におけるユーザの指と接触可能な部分が非常に少ないため、ユーザの指をガイド部７２の後側部に引掛けることにより、保護板７０を取り出すことになる。よって、ユーザの指を上記スペースに挿入する量が多くなることから、上記スペースを確保することが一層困難となる。
【００５９】
これに対して、図９に示すように、ガイド部７２に切欠部７３ａ、７３ｂが形成されている場合には、保護板７０の傾きが比較的大きい場合でも、切欠部７３ｂによってガイド部７２と防水キャップ９６との接触を回避することができるので、ガイド部７２に切欠部７３ａ、７３ｂが形成されていない場合に比べて、上記スペースを確保しやすくなる。さらに、ユーザの指を切欠部７３ａを介して保護板７０に引掛けることにより、保護板７０を取り出すことができるので、ユーザの指をガイド部７２の後側部に引掛ける場合に比べて、上記スペースにユーザの指を挿入する量を減らすことができるため、上記スペースを一層確保しやすくなる。
【００６０】
その後、ユーザは、取り出された保護板７０を保護板枠６０に再度取り付ける。
【００６１】
（効果）
このように本実施の形態によれば、押し釦スイッチ９５が操作される際に、ユーザによって保護板７０を介して押圧領域限定部７１が押圧されることにより、防水キャップ９６の対向面９７における一部の領域であって、当該対向面９７における押し釦スイッチ９５の押圧面との対向部分を含む領域を限定して押圧することが可能な押圧領域限定部７１を備えているので、押圧領域限定部７１によって、防水キャップ９６の上記領域を限定して押圧することができるため、防水キャップ９６における押し釦スイッチ９５が押圧される際に必要となる領域のみを変形させることが可能となる。よって、保護板７０のみで押し釦スイッチ９５が押圧される場合に比べて、保護板７０における防水キャップ９６から受ける反力を小さくすることができることから、押し釦スイッチ９５の操作性を向上させることが可能となる。
【００６２】
また、押し釦スイッチ９５が操作される際に、保護板７０を押し釦スイッチ９５の押圧方向に略沿って平行移動させるためのガイド部７２を、保護板７０に設けたので、保護板７０にガイド部７２が設けられていない場合に比べて、保護板７０を押し釦スイッチ９５に向けて正確に移動させることができる。このため、保護板７０に押圧領域限定部７１が設けられている場合でも、押し釦スイッチ９５を確実に押圧することが可能となる。
【００６３】
また、取付部材９２の後側部とガイド部７２との相互間に、押し釦スイッチ９５が押しきられた状態においてのみ当該後側部に当該ガイド部７２が接触可能となる隙間を設けたので、ユーザが押し釦スイッチ９５を押切ったことを確認できるため、押し釦スイッチ９５の操作性を一層向上させることが可能となる。また、押し釦スイッチ９５に過度な力が働かないため、押し釦スイッチ９５の破損を防止することが可能となる。
【００６４】
また、保護板７０が保護板枠６０における当該保護板７０の取り付け位置よりも取付部材９２の内側の位置に移動された状態において、当該保護板７０を操作口１２ｃから取り出すことを補助するための切欠部７３ａ、７３ｂを、ガイド部７２に形成したので、例えば、保護板７０が上記取り付け位置よりも取付部材９２の内側に入りこんだ場合に、保護板７０が傾けられた場合でも、ガイド部７２に切欠部７３ａ、７３ｂが形成されていない場合に比べて、ガイド部７２と防水キャップ９６とが接触することを回避できる。よって、保護板７０及びガイド部７２と取付部材９２との相互間において、ユーザの指を保護板７０又はガイド部７２に引掛けることが可能なスペースを確保しやすくなるため、ユーザが保護板７０を取付部材９２の内部から容易に取り出すことが可能となる。
【００６５】
〔III〕実施の形態に対する変形例
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００６６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。例えば、従来の発信機よりも押し釦スイッチ９５の操作性を向上できない場合であっても、従来の発信機と同程度の押し釦スイッチ９５の操作性を従来の発信機とは異なる本願発明の発信機によって達成できている場合には、本願発明の課題が解決されている。
【００６７】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。例えば、発信機５０をそれぞれ複数の装置に分散して構成してもよい。また、各部を分散する場合において、これら各部の相互間の連携は、有線と無線のいずれか一方又は両方により行うことができる。
【００６８】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００６９】
（設置対象や適用対象について）
上記実施の形態では、トンネル内に設置された消防用設備装置１に組み込まれた発信機に適用した場合について説明したが、これに限られず、例えば、集合住宅内、オフィスビス内、商業施設内等に設置された消防用設備装置１に組み込まれた発信機、又は単独で設置された発信機に適用されてもよい。
【００７０】
（保護板について）
上記実施の形態では、保護板７０は、平坦な板状体にて形成されていると説明したが、これに限られない。例えば、ユーザが保護板７０を押しやすくなるように、保護板７０における前側部の中央部分に、当該ユーザの指を保護板７０にフィットさせることが可能な窪み部が形成されてもよい。
【００７１】
（押圧領域限定部について）
上記実施の形態では、１枚の保護板７０に対して１つの押圧領域限定部７１が設けられていると説明したが、例えば、１枚の保護板７０に対して複数の押圧領域限定部７１が設けられてもよい。
【００７２】
また、上記実施の形態では、押圧領域限定部７１は、保護板７０に設けられていると説明したが、これに限られない。この押圧領域限定部７１は、押し釦スイッチ９５と保護板７０との相互間に配置されていればよいので、例えば、防水キャップ９６と押し釦スイッチ９５との相互間に配置されてもよい。この場合における押圧領域限定部７１の配置方法については、具体的には、防水キャップ９６における押し釦スイッチ９５に対向する部分に、押圧領域限定部７１を収容する収容部を形成し、この収容部に押圧領域限定部７１を収容してから防水キャップ９６をメカニカル接点カバー９１に対して取り付ける方法等が採用される。これにより、保護板７０をシンプルな構成にすることが可能となる。
【００７３】
（ガイド部について）
上記実施の形態では、ガイド部７２が保護板７０に設けられていると説明したが、例えばガイド部７２を省略してもよい。
【００７４】
また、上記実施の形態では、ガイド部７２は、直線状の円筒状体にて形成されていると説明したが、これに限られず、例えば、ガイド部７２の後側部の外径がガイド部７２の前側部の外径よりも小さくなるように、テーパ状の円筒状体にて形成されてもよい。これにより、ガイド部７２が取付部材９２と接触した際の衝撃力を緩和できるため、ガイド部７２に損傷等が生じることを抑制できる。
【００７５】
また、上記実施の形態では、ガイド部７２は、取付部材９２に対して、押し釦スイッチ９５が押しきられた状態においてのみガイド部７２と取付部材９２とが接触可能とする隙間を隔てて配置されていると説明したが、例えば、押し釦スイッチ９５が押しきられた状態において、ガイド部７２と取付部材９２とが非接触となる隙間を隔てて配置されてもよい。
【００７６】
（切欠部について）
上記実施の形態では、切欠部７３ａ、７３ｂがガイド部７２に形成されていると説明したが、例えば切欠部７３ａ、７３ｂの少なくとも一部を省略してもよい。
【００７７】
また、上記実施の形態では、切欠部７３ａはガイド部７２の上方に配置され、この切欠部７３ｂはガイド部７２の下方に配置されていると説明したが、これに限られない。これら切欠部７３ａ、７３ｂの配置位置は任意に設定できるので、例えば、切欠部７３ａがガイド部７２の下方に配置されたり、切欠部７３ｂがガイド部７２の上方に配置されてもよい。
【００７８】
（付記）
上述した課題を解決し、目的を達成するために、付記１に記載の発信機は、火災を報知する火災信号を送信する発信機であって、ユーザによる前記火災信号の送信指示を受け付ける押し釦スイッチと、前記押し釦スイッチを保護する保護板と、前記押し釦スイッチと前記保護板との相互間に配置され、前記押し釦スイッチの押圧面と対向する対向面であって前記押圧面よりも面積が大きく形成された対向面を有する可撓性部材と、前記可撓性部材と前記保護板との相互間に設けられた押圧領域限定手段であって、前記押し釦スイッチが操作される際に、ユーザによって前記保護板を介して当該押圧領域限定手段が押圧されることにより、前記対向面における一部の領域であって、当該対向面における前記押圧面との対向部分の少なくとも一部を含む領域を限定して押圧することを可能とする押圧領域限定手段と、を備えている。
【００７９】
付記２に記載の発信機は、付記１に記載の発信機において、前記押し釦スイッチが操作される際に、前記保護板を前記押し釦スイッチの押圧方向に略沿って平行移動させるためのガイド手段を、前記保護板に設けている。
【００８０】
付記３に記載の発信機は、付記１又は２に記載の発信機において、前記押し釦スイッチを収容する収容体を備え、前記収容体の側部に、前記押し釦スイッチを取り付け、前記ガイド手段を、前記保護板から前記収容体の前記側部に向けて突出するように形成し、前記収容体の前記側部と前記ガイド手段との相互間に、前記押し釦スイッチが押しきられた状態においてのみ当該側部に当該ガイド手段が接触可能となる隙間を設けている。
【００８１】
付記４に記載の発信機は、付記２に記載の発信機において、前記押し釦スイッチを収容する収容体であって、相互に対向する一対の側部を有する収容体を備え、前記収容体の一対の側部のうち、一方の側部には、前記押し釦スイッチを取り付け、前記収容体の一対の側部のうち、他方の側部には、開口部を形成すると共に、当該開口部を介して前記保護板を前記押し釦スイッチに向けて押圧可能となるように前記保護板を取り付け、前記ガイド手段を、前記保護板から前記収容体の前記一方の側部に向けて突出するように形成し、前記保護板が前記収容体の前記他方の側部における取り付け位置よりも前記収容体の内側の位置に移動された状態において、当該保護板を前記開口部から取り出すことを補助するための切欠部を、前記ガイド手段に少なくとも１つ以上形成している。
【００８２】
（付記の効果）
付記１に記載の発信機によれば、押し釦スイッチが操作される際に、ユーザによって保護板を介して当該押圧領域限定手段が押圧されることにより、可撓性部材の対向面における一部の領域であって、当該対向面における押圧面との対向部分の少なくとも一部を含む領域を限定して押圧することを可能とする押圧領域限定手段を備えているので、押圧領域限定手段によって、可撓性部材の上記領域を限定して押圧することができるため、可撓性部材における押し釦スイッチが押圧される際に必要となる領域のみを変形させることが可能となる。よって、保護板のみで押し釦スイッチが押圧される場合に比べて、保護板における可撓性部材から受ける反力を小さくすることができることから、押し釦スイッチの操作性を向上させることが可能となる。
【００８３】
付記２に記載の発信機によれば、押し釦スイッチが操作される際に、保護板を押し釦スイッチの押圧方向に略沿って平行移動させるためのガイド手段を、保護板に設けたので、保護板にガイド手段が設けられていない場合に比べて、保護板を押し釦スイッチに向けて正確に移動させることができる。このため、保護板に押圧領域限定手段が設けられている場合でも、押し釦スイッチを確実に押圧することが可能となる。
【００８４】
付記３に記載の発信機によれば、収容体の側部とガイド手段との相互間に、押し釦スイッチが押しきられた状態においてのみ当該側部に当該ガイド手段が接触可能となる隙間を設けたので、ユーザが押し釦スイッチを押切ったことを確認できるため、押し釦スイッチの操作性を一層向上させることが可能となる。また、押し釦スイッチに過度な力が働かないため、押し釦スイッチの破損を防止することが可能となる。
【００８５】
付記４に記載の発信機によれば、保護板が収容体の他方の側部における取り付け位置よりも収容体の内側の位置に移動された状態において、当該保護板を開口部から取り出すことを補助するための切欠部を、ガイド手段に少なくとも１つ以上形成したので、例えば、保護板が上記取り付け位置よりも収容体の内側に入りこんだ場合に、保護板が傾けられた場合でも、ガイド手段に切欠部が形成されていない場合に比べて、ガイド手段と収容体に収容された他の部材（例えば、防水キャップや押し釦スイッチ等）とが接触することを回避できる。よって、保護板及びガイド手段と収容体との相互間において、ユーザの指を保護板又はガイド手段に引掛けることが可能なスペースを確保しやすくなるため、ユーザが保護板を収容体の内部から容易に取り出すことが可能となる。
【符号の説明】
【００８６】
１  消防用設備装置
１０  筐体
１１  ベース部
１２  正面パネル
１２ａ  第１の導光孔
１２ｂ  第２の導光孔
１２ｃ  操作口
２０  赤色表示灯
３０  応答ランプ
５０  発信機
６０  保護板枠
６１  接続部
６２  ストッパ部
６３  位置決め部
７０  保護板
７１  押圧領域限定部
７２  ガイド部
７３ａ、７３ｂ  切欠部
７４  位置決め部
７５  後側部
８０  発信機本体
９１  メカニカル接点カバー
９２  取付部材
９３  防水カバー
９５  押し釦スイッチ
９６  防水キャップ
９７  対向面
９８  接続板
９８ａ  係止孔
【図１】
2015169994.tif 000003
【図２】
2015169994.tif 000004
【図３】
2015169994.tif 000005
【図４】
2015169994.tif 000006
【図５】
2015169994.tif 000007
【図６】
2015169994.tif 000008
【図７】
2015169994.tif 000009
【図８】
2015169994.tif 000010
【図９】
2015169994.tif 000011